(57)【要約】【課題】投写画像品質を良好に維持できるプロジェクターを提供する。【解決手段】プロジェクター１は、画像光を投写する投写レンズ２６１と、凸状の非球面で形成され、所定の位置に固定されて投写レンズ２６１から投写された画像光を反射する反射ミラー２６２と、反射ミラー２６２の反射面２６３を開閉自在に覆うカバー４０と、を備えている。また、カバー４０は、回動自在に設置され、反射面２６３を開閉自在とする。また、カバー６０は、スライド自在に設置され、反射面２６３を開閉自在とする。【選択図】図２
2012242639.tif 000002
【特許請求の範囲】
【請求項１】
光源から射出された光束を光変調装置で変調し、当該光変調装置で変調された画像光を拡大投写するプロジェクターであって、
前記画像光を投写する投写レンズと、
凸状の非球面で形成され、所定の位置に固定されて前記投写レンズから投写された画像光を反射する反射ミラーと、
前記反射ミラーの反射面を開閉自在に覆うカバーと、
を備えていることを特徴とするプロジェクター。
【請求項２】
請求項１に記載のプロジェクターであって、
前記カバーは、回動自在に設置されることを特徴とするプロジェクター。
【請求項３】
請求項１に記載のプロジェクターであって、
前記カバーは、スライド自在に設置されることを特徴とするプロジェクター。
【請求項４】
請求項１〜請求項３のいずれか一項に記載のプロジェクターであって、
前記カバーは、前記投写レンズから前記反射ミラー間の光路を開閉自在に覆うことを特徴とするプロジェクター。
【請求項５】
請求項１〜請求項４のいずれか一項に記載のプロジェクターであって、
前記カバーは、対向する２つの側面と当該側面の間に配置される面の３面から構成されていることを特徴とするプロジェクター。
【発明の詳細な説明】
【技術分野】
【０００１】
本発明は、プロジェクターに関する。
【背景技術】
【０００２】
従来、光源から射出された光束を光変調装置で変調し、光変調装置で形成された光学像（画像光）を反射させて拡大投写するプロジェクターが知られている。このようなプロジェクターは、光学像を反射させるための反射ミラーを備えている。反射ミラーは、非球面（光軸に対して非軸対称な自由曲面形状）に形成され、投射距離を短くさせ、短焦点でスクリーン等に光学像を投写させている。
【０００３】
特許文献１では、凸形状の非球面ミラーを移動（回動やスライド）する構成が開示されている。そして、非球面ミラーを移動することで、非球面ミラーの損傷防止や防塵を行っている。
【先行技術文献】
【特許文献】
【０００４】
【特許文献１】特開２００８−１３４３５０号公報
【発明の概要】
【発明が解決しようとする課題】
【０００５】
しかし、特許文献１では、投写画像の品質に大きな影響を及ぼす非球面ミラーを移動することで、投写画像の品質低下の原因となり易いこと、また、非球面ミラーを移動しても完全な防塵は困難であることが課題となる。
従って、投写画像品質を良好に維持できるプロジェクターが要望されていた。
【課題を解決するための手段】
【０００６】
本発明は、上述した課題の少なくとも一部を解決するためになされたものであり、以下の適用例として実現することが可能である。
【０００７】
（適用例１）本適用例に係るプロジェクターは、光源から射出された光束を光変調装置で変調し、光変調装置で変調された画像光を拡大投写するプロジェクターであって、画像光を投写する投写レンズと、凸状の非球面で形成され、所定の位置に固定されて投写レンズから投写された画像光を反射する反射ミラーと、反射ミラーの反射面を開閉自在に覆うカバーと、を備えていることを特徴とする。
【０００８】
このようなプロジェクターによれば、反射ミラーの露出する反射面の略全面を開閉自在に覆うカバーを備えることにより、凸状の非球面で形成される反射ミラーに対して、損傷や塵埃の付着等を防止することができ、投写画像を鮮明な状態で良好に維持できる。従って、投写画像品質を良好に維持させることができる。また、反射ミラーを所定の位置に固定して設置することにより、投写画像の性能に大きな影響を及ぼす反射ミラーを移動させる必要がなく、光学上の位置を維持できることで、投写画像品質を良好に維持させることができる。
【０００９】
（適用例２）上記適用例に係るプロジェクターにおいて、カバーは、回動自在に設置されることが好ましい。
【００１０】
このようなプロジェクターによれば、カバーが、回動自在に設置されるため、カバーを着脱することが不必要となり、カバーの紛失防止を図ることができる。また、カバーが、回動自在とすることで、容易に、反射面を覆うことや開放させることが可能となる。また、カバーを回動するという容易な操作で、反射ミラーに対して、損傷や塵埃の付着等を防止することができる。
【００１１】
（適用例３）上記適用例に係るプロジェクターにおいて、カバーは、スライド自在に設置されることが好ましい。
【００１２】
このようなプロジェクターによれば、カバーが、スライド自在に設置されるため、カバーを着脱することが不必要となり、カバーの紛失防止を図ることができる。また、カバーが、スライド自在とすることで、容易に、反射面を覆うことや開放させることが可能となる。また、カバーをスライドするという容易な操作で、反射ミラーに対して、損傷や塵埃の付着等を防止することができる。
【００１３】
（適用例４）上記適用例に係るプロジェクターにおいて、カバーは、投写レンズから反射ミラー間の光路を開閉自在に覆うことが好ましい。
【００１４】
このようなプロジェクターによれば、カバーは、投写レンズから反射ミラー間の光路を開閉自在に覆うことにより、反射ミラーだけでなく、投写レンズ、投写レンズと反射ミラー間の光路に対しても、損傷や塵埃の付着等を防止することができる。
【００１５】
（適用例５）上記適用例に係るプロジェクターにおいて、カバーは、対向する２つの側面と側面の間に配置される面の３面から構成されていることが好ましい。
【００１６】
このようなプロジェクターによれば、カバーを容易に構成することができると共に、カバーを開いて使用する状態では、反射ミラーからの反射光をより広角に広げることができ、カバーを閉じた状態では、プロジェクターの体積を小さくすることができる。
【図面の簡単な説明】
【００１７】
【図１】第１実施形態に係るプロジェクターの光学ユニットを示す模式図。
【図２】第１実施形態に係るプロジェクターを示す概斜視図。
【図３】第２実施形態に係るプロジェクターを示す概斜視図。
【図４】変形例を示す図。
【発明を実施するための形態】
【００１８】
以下、第１実施形態を図面に基づいて説明する。
（第１実施形態）
【００１９】
図１は、第１実施形態に係るプロジェクター１の光学ユニット２を示す模式図である。図１を参照して、本実施形態の光学ユニット２の概構成と動作に関して簡略に説明する。
【００２０】
本実施形態のプロジェクター１は、光源２１１から射出される光束を画像情報に応じて変調し、画像光を形成し、この画像光を反射させてスクリーン等に拡大投写する。図１に示すように、プロジェクター１は、略Ｌ字状に構成される光学ユニット２、制御部（図示省略）、制御部等に電力を供給する電源ユニット（図示省略）、及びプロジェクター１内部を冷却する冷却ユニット（図示省略）等を備え、これら各装置が外装筺体１０（図２参照）内部に収容されている。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２２】
図１に示すように、光学ユニット２は、制御部による制御に基づき、光源２１１から射出された光束を光学的に処理して画像情報に応じた画像光を形成し、形成した画像光を反射させて投写するユニットである。光学ユニット２は、光源装置２１、照明光学装置２２、色分離光学装置２３、リレー光学装置２４、電気光学装置２５、及びこれら光学装置２１〜２５を内部に収容すると共に、投写レンズ装置２６を所定位置で支持固定する光学部品用筺体２０を備えて構成されている。
【００２３】
光源装置２１は、光源２１１及びリフレクター２１２等を備える。光源装置２１は、光源２１１から射出された光束をリフレクター２１２によって射出方向を揃え、光軸ＯＡに対して平行化して照明光学装置２２に向けて射出する。本実施形態の光源装置２１は、超高圧水銀ランプを採用している。
【００２４】
照明光学装置２２は、第１レンズアレイ２２１、第２レンズアレイ２２２、偏光変換素子２２３、重畳レンズ２２４、及び３つのフィールドレンズ２２５を備える。第１レンズアレイ２２１及び第２レンズアレイ２２２は、光源装置２１から射出された光束を複数の部分光束に分解する。偏光変換素子２２３は、第２レンズアレイ２２２から射出されたランダム偏光光である部分光束に対し、光の利用効率を高めるために、後述する液晶パネル２５３で利用可能な略１種類の偏光光に揃える。重畳レンズ２２４は、フィールドレンズ２２５と共に、偏光変換素子２２３から射出された各部分光束をその中心軸（主光線）に対して平行な光束に変換し、液晶パネル２５３の画像形成領域に対して重畳させる。
【００２５】
色分離光学装置２３は、２枚のダイクロイックミラー２３１，２３２、及び反射ミラー２３３を備え、照明光学装置２２から射出された光束を赤色（Ｒ）光、緑色（Ｇ）光、青色（Ｂ）光の３色の色光に分離する機能を有する。
【００２６】
リレー光学装置２４は、入射側レンズ２４１、リレーレンズ２４３、及び反射ミラー２４２，２４４を備え、色分離光学装置２３で分離されたＢ光をＢ光用の液晶パネル２５３Ｂまで導く機能を有する。なお、光学ユニット２は、リレー光学装置２４がＢ光を導く構成としているが、これに限らず、例えば、Ｒ光を導く構成としてもよい。
【００２７】
電気光学装置２５は、入射側偏光板２５１、光変調装置としての３つの液晶パネル２５３（Ｒ光用の液晶パネルを２５３Ｒ、Ｇ光用の液晶パネルを２５３Ｇ、Ｂ光用の液晶パネルを２５３Ｂとする）、射出側偏光板２５４、及び色合成光学装置としてのクロスダイクロイックプリズム２５５を備える。電気光学装置２５は、色分離光学装置２３で分離された各色光を画像情報に応じてそれぞれの液晶パネル２５３で変調し、色光毎に変調した光束をクロスダイクロイックプリズム２５５で合成して画像光を形成し、投写レンズ装置２６に向けて射出する。なお、本実施形態の光変調装置を構成する３つの液晶パネル２５３は、透過型を採用している。クロスダイクロイックプリズム２５５は、三角柱状の４つのプリズムを貼り合わせることにより、略正方形断面の角柱状に形成されている。
【００２８】
投写レンズ装置２６は、１つあるいは複数のレンズを１つのレンズ群とする複数のレンズ群を備える投写レンズ２６１を備えており、これらのレンズ群が光軸ＯＡに沿って配置されている。また、投写レンズ装置２６は、凸状で非球面に形成され、投写レンズ２６１を透過してきた画像光を反射する反射ミラー２６２を備えている。投写レンズ装置２６は、電気光学装置２５で形成された画像光を投写レンズ２６１で拡大し、反射ミラー２６２で反射させてスクリーン（図示省略）等に拡大投写する。
【００２９】
なお、本実施形態を説明する図面（図１及び以降で説明する図）は、説明の便宜上、ＸＹＺ直交座標系を用いて示す。詳細には、プロジェクター１の光学ユニット２を基準に、Ｂ光用の液晶パネル２５３ＢからＲ光用の液晶パネル２５３Ｒの方向をＸ軸方向（＋Ｘ方向）とする。また、Ｘ軸方向に直交してクロスダイクロイックプリズム２５５から投写レンズ装置２６の方向をＹ軸方向（＋Ｙ方向）とする。また、Ｘ軸方向及びＹ軸方向に直交し、図１の紙面裏側から紙面表側の方向をＺ軸方向（＋Ｚ方向）とする。なお、＋Ｙ方向を前方向（−Ｙ方向を背面方向）、＋Ｘ方向を右方向（−Ｘ方向を左方向）、＋Ｚ方向を上方向（−Ｚ方向を下方向）として、適宜使用する。
【００３０】
図２は、第１実施形態に係るプロジェクター１を示す概斜視図であり、図２（ａ）は、カバー４０が反射ミラー２６２を覆っている状態（初期状態）を示す概斜視図であり、図２（ｂ）は、カバー４０が反射ミラー２６２を解放した状態（使用状態）を示す概斜視図である。図２を参照してプロジェクター１及びカバー４０の構成及び動作を説明する。
【００３１】
プロジェクター１は、略直方体状に形成される外装筺体１０を備えている。なお、外装筺体１０の６面を、上面１０ａ、前面１０ｂ、背面１０ｃ、右面１０ｄ、左面１０ｅ、底面１０ｆとする。外装筺体１０の前面１０ｂ側（＋Ｙ方向）中央部には、投写レンズ装置２６を構成する投写レンズ２６１が先端部を前面１０ｂから延出させて設置されている。また、投写レンズ２６１の下方で、外装筺体１０の底面１０ｆから前方向に突出する固定板３０が設置されている。
【００３２】
固定板３０は、投写レンズ装置２６を構成する反射ミラー２６２を固定する部材である。固定板３０は、底面１０ｆから前方向に突出するアーム部３１と、アーム部３１の前方端部から上方向に向かって曲折して延びる保持部３２とで構成され、断面略Ｌ字状に形成されている。
【００３３】
前面１０ｂに対向する保持部３２の内面側には、投写レンズ２６１と対向するように、反射ミラー２６２が設置される。反射ミラー２６２は、上述したように、凸状で非球面となる非球面ミラーとして構成されている。反射ミラー２６２の実際に画像光を反射させる面を反射面２６３とする。また、アーム部３１は、反射ミラー２６２を外装筺体１０に固定させると共に、反射ミラー２６２を投写レンズ２６１との光学上の所定の位置に固定させている。
【００３４】
保持部３２の上端部３２ａには、カバー４０が回動軸（図示省略）を中心に、回動自在に設置されている。カバー４０は、図２（ａ）に示すように、右面４０ｄと左面４０ｅの両側面とその間の上面４０ａとの３面を有して構成されている。カバー４０は、反射ミラー２６２と、前面１０ｂから延出する投写レンズ２６１、および反射ミラー２６２と投写レンズ２６１間の光路とを覆うためのものである。カバー４０は、３面で構成されるため、カバー４０を容易に構成することができる。
【００３５】
なお、カバー４０は、図２（ａ）に示すように、プロジェクター１を使用しない場合には、反射ミラー２６２、投写レンズ２６１、および反射ミラー２６２と投写レンズ２６１間の光路を覆った状態とさせる。この状態を以降では、「初期状態」と称し、適宜使用する。また、カバー４０は、図２（ｂ）に示すように、プロジェクター１を使用する場合には、反射ミラー２６２、投写レンズ２６１、および反射ミラー２６２と投写レンズ２６１間の光路を覆った状態から開放する状態とさせる。この状態を以降では、「使用状態」と称し、適宜使用する。
【００３６】
カバー４０は、回動することにより、反射ミラー２６２（反射面２６３）に対して開閉自在となる。初期状態では、カバー４０を回動して閉じることになる。また、使用状態では、カバー４０を回動して開くことになる。
【００３７】
なお、外装筺体１０の前面１０ｂの上端部には、ラッチ部（図示省略）が設置されている。また、カバー４０の上面４０ａの背面方向端部には、ラッチ部に噛み合う突起部（図示省略）が形成されている。従って、初期状態では、突起部がラッチ部と噛み合うことで、カバー４０が外装筺体１０に固定される。また、使用状態では、突起部がラッチ部との噛み合いを解除することで回動する。
【００３８】
カバー４０を開いた使用状態とさせるには、詳細には、カバー４０の上面４０ａを下方向に一度押圧することによりラッチ部と突起部との噛み合いが解除（ロックが解除）される。その後、カバー４０を把持して回動軸を中心に回動させ、保持部３２の前方側に位置するように回動させる。この状態のとき、カバー４０は自重により、保持部３２に当接して保持される。この状態が使用状態となる。使用状態では、反射ミラー２６２の反射面２６３は外装筺体１０外部に露出した状態となる。
【００３９】
カバー４０を閉じた初期状態とさせるには、使用状態にさせる動作と逆の動作を行う。詳細には、最初に、カバー４０を把持して回動軸を中心に回動させ、保持部３２の背面側に位置するように回動させる。次に、カバー４０の上面４０ａを下方向に押圧する。これにより、突起部がラッチ部と噛み合うことにより、カバー４０を外装筺体１０に固定する。この状態が初期状態となる。初期状態では、反射ミラー２６２の反射面２６３は略全面がカバー４０で覆われた状態となる。
【００４０】
なお、プロジェクター１を使用する場合には、図２（ｂ）に示すように、カバー４０を開いた使用状態とさせる。この状態とした後、プロジェクター１を動作させることにより、投写レンズ２６１から射出された画像光が前方の反射ミラー２６２で反射され、プロジェクター１の背面１０ｃ側の上方に設置されるスクリーン（図示省略）等に画像光を投写する。
【００４１】
なお、初期状態では、外装筺体１０の前面１０ｂと固定板３０とカバー４０との隙間を極力抑えられるようにリブ１１が形成されている。従って、前面１０ｂと固定板３０とカバー４０とで囲まれる空間領域内への塵埃等の入り込みを低減させている。
【００４２】
上述した実施形態によれば、以下の効果が得られる。
本実施形態のプロジェクター１によれば、反射ミラー２６２の露出する反射面２６３の略全面を開閉自在に覆うカバー４０を備えることにより、凸状で非球面に形成される反射ミラー２６２、投写レンズ２６１、および反射ミラー２６２と投写レンズ２６１間の光路に対して、損傷や塵埃の付着等を防止することができ、投写画像を鮮明な状態で良好に維持できる。従って、投写画像品質を良好に維持させることができる。
【００４３】
本実施形態のプロジェクター１によれば、カバー４０が、回動自在に保持部３２に設置されるため、カバー４０を着脱することが不必要となり、カバー４０の紛失防止を図ることができる。
【００４４】
本実施形態のプロジェクター１によれば、カバー４０が、回動自在で、反射面２６３を開閉自在とすることで、容易に、反射面２６３、投写レンズ２６１、および反射ミラー２６２と投写レンズ２６１間の光路を覆うことや開放させることが可能となる。また、カバー４０を回動するという容易な操作で、反射ミラー２６２に対して、損傷や塵埃の付着等を防止することができる。
【００４５】
本実施形態のプロジェクター１によれば、反射ミラー２６２を所定の位置に固定して設置することにより、投写画像の性能に大きな影響を及ぼす反射ミラー２６２を移動させる必要がなく、光学上の位置を維持できることで、投写画像品質を良好に維持させることができる。
本実施形態のプロジェクター１によれば、カバー４０は、右面４０ｄと左面４０ｅの両側面とその間の上面４０ａとの３面を有して構成されている。カバー４０を、側面を含む３面で構成することにより、カバー４０を開いた使用状態においては反射ミラー２６２からの反射光をより広角に広げることができるとともに、カバー４０を閉じた初期状態ではプロジェクター１の体積を小さくすることができる。
（第２実施形態）
【００４６】
図３は、第２実施形態に係るプロジェクター１００を示す概斜視図であり、図３（ａ）は、カバー６０が反射ミラー２６２を覆っている状態（初期状態）を示す概斜視図であり、図３（ｂ）は、カバー６０が反射ミラー２６２を解放した状態（使用状態）を示す概斜視図である。図３を参照してプロジェクター１００及びカバー６０の構成及び動作を説明する。
【００４７】
本実施形態のプロジェクター１００は、第１実施形態のプロジェクター１と比較して、固定板５０とカバー６０との構成が異なっている。他の構成は第１実施形態と同様に構成される。なお、図３では、第１実施形態と同様の構成には同様の符号を付記している。
【００４８】
本実施形態のプロジェクター１００は、図３（ｂ）に示すように、投写レンズ２６１の下方で、外装筺体１０の底面１０ｆから前方向に突出する固定板５０が設置されている。固定板５０は、投写レンズ装置２６を構成する反射ミラー２６２を固定する部材である。固定板５０は、底面１０ｆから前方向に突出するアーム部５１と、アーム部５１の前方端部から上方向に向かって曲折して延びる保持部５２とで構成され、断面略Ｌ字状に形成されている。なお、図３（ｂ）に示すように、アーム部５１の右端面５１ｄ、左端面５１ｅには、後述するカバー６０をアーム部５１に沿って前方にスライド移動させる際の案内溝５１１がそれぞれ形成されている。
【００４９】
前面１０ｂに対向する保持部５２の内面側には、投写レンズ２６１と対向するように、反射ミラー２６２が設置される。反射ミラー２６２は、第１実施形態と同様に構成されている。また、アーム部５１は、反射ミラー２６２を外装筺体１０に固定させると共に、反射ミラー２６２を投写レンズ２６１との光学上の所定の位置に固定させている。
【００５０】
カバー６０は、固定板５０を上方向から覆うよう設置される。カバー６０は、図３に示すように、右面６０ｄと左面６０ｅの両側面とその間の上面６０ａとの３面を有して構成されている。カバー６０は、反射ミラー２６２（反射面２６３）と、前面１０ｂから延出する投写レンズ２６１、および反射ミラー２６２と投写レンズ２６１間の光路とを覆うためのものである。カバー６０は、３面で構成されるため、カバー６０を容易に構成することができる。
【００５１】
カバー６０は、右面６０ｄの下端部の内面側、及び左面６０ｅの下端部の内面側に、アーム部５１の案内溝５１１に対応して突出する突起部６１がそれぞれ形成される。突起部６１が、対応するそれぞれの案内溝５１１に挿入されることで、カバー６０を固定板５０に対してスライド自在に設置することができる。
【００５２】
なお、カバー６０は、図３（ａ）に示すように、プロジェクター１００を使用しない場合には、反射ミラー２６２を覆った状態とさせる。この状態を以降では、「初期状態」と称し、適宜使用する。また、カバー６０は、図３（ｂ）に示すように、プロジェクター１００を使用する場合には、反射ミラー２６２を覆った状態から開放する状態とさせる。この状態を以降では、「使用状態」と称し、適宜使用する。
【００５３】
カバー６０は、スライドすることにより、反射ミラー２６２（反射面２６３）に対して開閉自在となる。初期状態では、カバー６０をスライドして閉じることになる。また、使用状態では、カバー６０をスライドして開くことになる。
【００５４】
なお、案内溝５１１の背面方向（−Ｙ方向）端部、及び前方向（＋Ｙ方向）端部には、案内溝５１１内部に凸状に突出する係合凸部（図示省略）が設置されている。また、突起部６１の背面方向（−Ｙ方向）端部には、凹状に窪む係合凹部（図示省略）が設置されている。従って、初期状態では、係合凹部が、案内溝５１１の背面方向（−Ｙ方向）端部の係合凸部に係合することで、カバー６０が固定板５０に固定される。また、使用状態では、係合凹部が、案内溝５１１の前方向（＋Ｙ方向）端部の係合凸部に係合することで、カバー６０が固定板５０に固定される。
【００５５】
カバー６０を開いた使用状態とさせるには、詳細には、最初に、カバー６０を把持して、前方向に引っ張ることにより、係合凸部と係合凹部とによる係合を解除させる。次に、カバー６０を前方向にスライドさせ、案内溝５１１の前方向（＋Ｙ方向）端部の係合凸部に係合凹部を係合させることで、カバー６０を固定する。この状態が使用状態となる。使用状態では、反射ミラー２６２の反射面２６３は外装筺体１０外部に露出した状態となる。
【００５６】
カバー６０を閉じた初期状態とさせるには、使用状態にさせる動作と逆の動作を行う。詳細には、最初に、カバー６０を把持して背面方向に押すことにより、係合凸部と係合凹部とによる係合を解除させる。次に、カバー６０を背面方向にスライドさせ、案内溝５１１の背面方向（−Ｙ方向）端部の係合凸部に係合凹部を係合させることで、カバー６０を固定する。この状態が初期状態となる。初期状態では、反射ミラー２６２の反射面２６３は略全面がカバー６０で覆われた状態となる。
【００５７】
なお、初期状態では、外装筺体１０の前面１０ｂと固定板５０とカバー６０とによる隙間を極力抑えられるようにリブ１２が形成されている。従って、前面１０ｂと固定板５０とカバー６０とで囲まれる空間領域内への塵埃等の入り込みを低減させている。
【００５８】
上述した第２実施形態によれば、第１実施形態と同様の効果が得られる他に以下の効果が得られる。
【００５９】
本実施形態のプロジェクター１００によれば、カバー６０が、スライド自在に保持部５２に設置されるため、カバー６０を着脱することが不必要となり、カバー６０の紛失防止を図ることができる。
【００６０】
本実施形態のプロジェクター１００によれば、カバー６０が、スライド自在で、反射面２６３を開閉自在とすることで、容易に、反射面２６３を覆うことや開放させることが可能となる。また、カバー６０をスライドするというより容易な操作で、反射ミラー２６２、投写レンズ２６１、および反射ミラー２６２と投写レンズ２６１間の光路に対して、損傷や塵埃の付着等を防止することができる。
【００６１】
なお、上述した第１、第２実施形態に限定されず、その要旨を逸脱しない範囲において種々の変更や改良などを加えて実施することが可能である。変形例を以下に述べる。
【００６２】
前記第１実施形態のプロジェクター１において、カバー４０は、反射ミラー２６２の露出する反射面２６３、投写レンズ２６１、および反射ミラー２６２と投写レンズ２６１間の光路を覆っている。しかし、これに限られず、カバー４０は、少なくとも、反射ミラー２６２の露出する反射面２６３の略全面を覆う構成とすることでよい。これは、第２実施形態においても同様となる。
【００６３】
前記第１実施形態のプロジェクター１において、カバー４０は、回動軸により保持部３２に回動自在に保持されることで、反射ミラー２６２を開閉自在に覆っている。しかし、これに限られず、カバー４０は、固定板３０に対して着脱自在に設置する構成としてもよい。従って、プロジェクター１を使用する場合には、カバー４０を固定板３０から取り外して使用し、プロジェクター１を使用しない場合には、カバー４０を固定板３０に装着することでよい。このような構成によっても、反射ミラー２６２の露出する反射面２６３の略全面を、開閉自在に覆うことができる。これは、第２実施形態においても同様となる。
【００６４】
前記第１実施形態のプロジェクター１において、カバー４０が保持部３２に対して回動する回動軸は、保持部３２の上端部３２ａに設置されている。しかし、これに限られず、回動軸の設置場所は適宜変更することができる。
ここで、図４を参照して上記変形例を簡略に説明する。
【００６５】
図４は、変形例を示す図であり、図４（ａ）は、カバー７０が反射ミラー２６２を覆っている状態（初期状態）を示す概斜視図であり、図４（ｂ）は、カバー７０が反射ミラー２６２を解放した状態（使用状態）を示す概斜視図である。図４は、第１実施形態と略同様に構成され、異なるのは、カバー７０が、プロジェクター１Ａ側に設置された回動軸１５によってプロジェクター１Ａ側に回転自在となっていることである。
【００６６】
本変形例のカバー７０は、右面７０ｄと左面７０ｅの両側面とその間の上面７０ａとの３面を有して構成されている。カバー７０は、反射ミラー２６２と、前面１０ｂから延出する投写レンズ２６１、および反射ミラー２６２と投写レンズ２６１間の光路とを覆う。
【００６７】
カバー７０は、プロジェクター１Ａの投写レンズ２６１の上部に設置された回動軸１５を中心に回動自在となっている。従って、プロジェクター１Ａを使用状態とさせる場合は、回動軸１５を中心に、カバー７０をプロジェクター１Ａ側（プロジェクター１Ａの上面１０ａ側）に回転させる。
【００６８】
また、本変形例では、右面７０ｄ及び左面７０ｅも上面７０ａに対して回動可能に設置されており、図４（ｂ）に示すように、上面７０ａに対して、右面７０ｄ及び左面７０ｅが回転することにより、プロジェクター１Ａの上面１０ａにカバー７０を展開して載置した状態となる。このように、本変形例によると、使用状態におけるプロジェクター１Ａのサイズをコンパクトにすることが可能となる。
【００６９】
前記第２実施形態のプロジェクター１００において、カバー６０が保持部５２に対してスライドする突起部６１は、保持部５２の右端面５１ｄ、左端面５１ｅに形成する案内溝５１１に挿入してスライドしている。しかし、案内溝５１１を形成する場所は、適宜設定でき、それに合わせて、突起部６１を形成することでよい。
【００７０】
前記第１、第２実施形態のプロジェクター１，１００において、光学ユニット２は、Ｒ光、Ｇ光、Ｂ光に対応する３つの光変調装置を用いる、いわゆる３板方式を採用している。しかし、これに限られず、単板方式の光変調装置を採用してもよい。また、コントラストを向上させるための光変調装置を追加して採用してもよい。
【００７１】
前記第１、第２実施形態のプロジェクター１，１００において、光学ユニット２は、透過型の光変調装置（透過型の液晶パネル２５３）を採用している。しかし、これに限られず、反射型の光変調装置を採用してもよい。
【００７２】
前記第１、第２実施形態のプロジェクター１，１００において、光学ユニット２は、光変調装置として液晶パネル２５３を採用している。しかし、これに限られず、一般に、入射光束を画像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００７３】
前記第１、第２実施形態のプロジェクター１，１００において、光学ユニット２は、光源装置２１から射出された光束の照度を均一化する照明光学装置２２として、第１レンズアレイ２２１、第２レンズアレイ２２２からなるレンズインテグレーター光学系を採用している。しかし、これに限定されるものではなく、導光ロッドからなるロッドインテグレーター光学系も採用することができる。
【００７４】
前記第１、第２実施形態のプロジェクター１，１００の光学ユニット２において、光源装置２１の光源２１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００７５】
１…プロジェクター、２…光学ユニット、１０…外装筺体、３０…固定板、３１…アーム部、３２…保持部、４０…カバー、５０…固定板、５１…アーム部、５２…保持部、６０…カバー、１００…プロジェクター、２５３…液晶パネル、２６２…反射ミラー、２６３…反射面。
【図１】
2012242639.tif 000003
【図２】
2012242639.tif 000004
【図３】
2012242639.tif 000005
【図４】
2012242639.tif 000006